(57)【要約】      （修正有）【課題】仕様が異なる複数の画面を備えていても、画面の仕様に依らずに、共通する画像を見やすく表示できるシステムを提供する。【解決手段】印刷ジョブの実行を制御するＤＦＥ１２１と、プリンタ本体１１１と周辺機器１１３とを含んで構成されＤＦＥ１２１によって制御される印刷ジョブに基づいて画像を形成する印刷装置と、複数の表示装置とを含む印刷システム１００であって、印刷装置は、印刷装置に含まれるプリンタ本体１１１および周辺機器１１３の構成情報に基づいて、印刷装置のイメージを含む表示データをベクタ形式で生成する表示データ生成部１１１４と、表示データを記憶する表示データ記憶部１１１５と、表示データを複数の表示装置に配信する表示データ配信部１１１６とを含む。【選択図】図１１
2018094794.tif 000002
【特許請求の範囲】
【請求項１】
印刷ジョブの実行を制御する制御装置と、
プリンタ本体と周辺機器とを含んで構成され、前記制御装置によって制御される前記印刷ジョブに基づいて画像を形成する印刷装置と、
複数の表示装置とを含む印刷システムであって、
前記印刷装置は、
当該印刷装置に含まれる前記プリンタ本体および前記周辺機器の構成情報に基づいて、前記印刷装置のイメージを含む表示データをベクタ形式で生成する表示データ生成手段と、
前記表示データを記憶する表示データ記憶手段と、
前記表示データを、前記複数の表示装置に配信する表示データ配信手段と
を含む、印刷システム。
【請求項２】
前記表示データをビットマップ形式に変換する画像形式変換手段を備える、請求項１に記載の印刷システム。
【請求項３】
前記印刷装置のイメージは、前記印刷装置のマシン構成図、ジャム処理図、ガイド図を含む、請求項１または２に記載の印刷システム。
【請求項４】
前記印刷装置は、
当該印刷装置に含まれる前記周辺機器の情報を取得する周辺機器情報取得手段を含み、
前記周辺機器の情報に基づいて前記印刷装置の構成情報を取得する、
請求項１〜３のいずれか１項に記載の印刷システム。
【請求項５】
前記周辺機器は、自装置のイメージを表示するための画像情報を保持し、
前記表示データ生成手段は、前記画像情報に基づいて、表示データを生成する、
請求項４に記載の印刷システム。
【請求項６】
前記印刷装置に周辺機器を追加した場合に、前記表示データ生成手段は、当該周辺機器の画像情報に基づいて、表示データを生成する、
請求項５に記載の印刷システム。
【請求項７】
前記表示データ配信手段は、前記印刷システムの立ち上げ時に、前記表示データを配信する、
請求項１〜６のいずれか１項に記載の印刷システム。
【請求項８】
印刷システムを構成し、プリンタ本体と周辺機器とを含み、印刷ジョブに基づいて画像を形成する印刷装置であって、
前記印刷装置は、
当該印刷装置に含まれる前記プリンタ本体および前記周辺機器の構成情報に基づいて、前記印刷装置のイメージを含む表示データをベクタ形式で生成する表示データ生成手段と、
前記表示データを記憶する表示データ記憶手段と、
前記表示データを、前記複数の表示装置に配信する表示データ配信手段と
を含む、印刷装置。
【請求項９】
前記表示データをビットマップ形式に変換する画像形式変換手段を備える、請求項８に記載の印刷装置。
【請求項１０】
印刷システムを構成し、プリンタ本体と周辺機器とを含み、印刷ジョブに基づいて画像を形成する印刷装置が実行するプログラムであって、前記印刷装置を、
当該印刷装置に含まれる前記プリンタ本体および前記周辺機器の構成情報に基づいて、前記印刷装置のイメージを含む表示データをベクタ形式で生成する表示データ生成手段、
前記表示データを記憶する表示データ記憶手段、
前記表示データを、前記複数の表示装置に配信する表示データ配信手段、
として機能させる、装置実行可能なプログラム。
【発明の詳細な説明】
【技術分野】
【０００１】
本発明は、印刷システム、印刷装置およびプログラムに関する。
【背景技術】
【０００２】
従来の商用の印刷システムでは、各表示装置に表示する画像の表示データは、装置ごとのストレージが保持している。例えば、印刷装置の操作部に表示されるマシン構成図、ジャム処理用の図、ガイド用の図、ガイド情報は、プリンタ本体のストレージに記憶されている。また、デジタルフロントエンド（以下、ＤＦＥとして参照する）についても同様に、当該ＤＦＥが接続されている印刷装置のマシン構成図、ジャム処理用の図、ガイド用の図、ガイド情報は、ＤＦＥのストレージに記憶されている。
【０００３】
しかしながら、同じ画像を表示するためのデータを、異なるストレージに記憶させることは、システムに含まれるストレージ領域を重複して使用することになるため、好ましくない。この点につき、画像形成装置の画面に表示するデータを、ネットワーク接続されたサーバコンピュータに記憶しておき、画像の表示を伴うイベントが発生した場合にデータを読み出す技術が知られている。
【０００４】
特開２００２−１６７４９号公報（特許文献１）では、インターネット上のサーバからイベントに対応した表示データをダウンロードする技術が開示されている。特許文献１によれば、画像形成装置のメモリのリソースを節約でき、また、ユーザが更新しなくても最新の表示データを取得することができる。
【０００５】
しかしながら、複数の表示装置を有するシステムにおいて、同じ表示データに基づいて画像を表示する場合には、各表示装置の画素数、アスペクト比、画面サイズなどの仕様によって画像の見やすさが変わることがある。例えば、ワークフローＰＣ、ＤＦＥ、プリンタ本体、プリンタ周辺機器から構成される商用の印刷システムにおいては、ワークフローＰＣと、ＤＦＥと、プリンタ本体は、それぞれ表示装置を有しており、各表示装置の仕様が異なる場合がある。
【０００６】
このような場合、例えば、所定の画素数の画面に合わせて作成された画像を、異なる画素数の画面で表示した場合には、画像が粗く表示されることになる。また、画面のアスペクト比が異なる画面では、画像が間延びしたように見えたり、間隔が詰まったように見えたりすることがある。したがって、種々の仕様の表示装置があるシステムでは、仕様の違いによって、画像の表示が変わり、ユーザにとっての見やすさが損なわれることがある。
【０００７】
上述したように、仕様の異なる表示装置が複数あるシステムにおいて、同じ表示データに基づいて画像を表示する場合には、ユーザにとっての見やすさが損なわれる。すなわち、特許文献１のような構成では、複数の表示装置を含むシステムには対応できず、見やすい画面の表示を実現できない。特に、上述したような商用の印刷システムにおいては、ワークフローＰＣと、ＤＦＥと、印刷装置の開発元が異なっている場合が一般的であり、各メーカが他社製品との互換性を考慮して開発するのは非現実的であった。また、特許文献１の構成では、インターネットが使えない環境では、表示データを取得することができない。
【０００８】
そこで、仕様が異なる複数の表示装置を備えるシステムにおいて、個々の表示装置に適合した画像の表示ができる技術が求められていた。
【発明の概要】
【発明が解決しようとする課題】
【０００９】
本発明は、上記従来技術における課題に鑑みてなされたものであり、仕様が異なる複数の表示装置を備えていても、表示装置の仕様に依らずに、共通する画像を見やすく表示できる印刷システム、印刷装置およびプログラムを提供することを目的とする。
【課題を解決するための手段】
【００１０】
すなわち、本発明によれば、印刷ジョブの実行を制御する制御装置と、
プリンタ本体と周辺機器とを含んで構成され、前記制御装置によって制御される前記印刷ジョブに基づいて画像を形成する印刷装置と、
複数の表示装置とを含む印刷システムであって、
前記印刷装置は、
当該印刷装置に含まれる前記プリンタ本体および前記周辺機器の構成情報に基づいて、前記印刷装置のイメージを含む表示データをベクタ形式で生成する表示データ生成手段と、
前記表示データを記憶する表示データ記憶手段と、
前記表示データを、前記複数の表示装置に配信する表示データ配信手段と
を含む、印刷システムが提供される。
【発明の効果】
【００１１】
上述したように、本発明によれば、仕様が異なる複数の表示装置を備えるシステムにおいて、共通する画像を、各表示装置の仕様に依らずに、違和感を低減して表示をできる印刷システム、印刷装置およびプログラムが提供される。
【図面の簡単な説明】
【００１２】
【図１】本発明の実施形態における、プリンタ本体と周辺機器の例を示す図。
【図２】本発明の実施形態における印刷システム全体のハードウェアの概略構成の例を示す図。
【図３】本実施形態のプリンタ本体に含まれるハードウェア構成を示す図。
【図４】本実施形態の周辺機器およびＤＦＥに含まれるハードウェア構成を示す図。
【図５】本実施形態の印刷システムが実行する処理のシーケンス図。
【図６】プリンタ本体の操作部の例を示す図。
【図７】本実施形態の印刷システムに含まれる各表示装置の仕様の例を示す図。
【図８】プリンタ用表示装置に表示されるマシン構成図の画像の例を示す図。
【図９】従来の印刷システムにおいて各表示装置に画像を表示する例を示す図。
【図１０】本実施形態におけるプリンタ本体のストレージに記憶される情報の例を示す図。
【図１１】第一の実施形態の印刷システムのソフトウェアブロック図。
【図１２】第一の実施形態において印刷システムが画像を表示する処理のフローチャート。
【図１３】第一の実施形態における印刷システムにおいて各表示装置に画像を表示する例を示す図。
【図１４】第二の実施形態の印刷システムのソフトウェアブロック図。
【図１５】第二の実施形態において印刷システムが画像を表示する処理のフローチャート。
【図１６】第二の実施形態における印刷システムにおいて各表示装置に画像を表示する例を示す図。
【発明を実施するための形態】
【００１３】
以下、本発明を、実施形態をもって説明するが、本発明は後述する実施形態に限定されるものではない。なお、以下に参照する各図においては、共通する要素について同じ符号を用い、適宜その説明を省略するものとする。
【００１４】
図１は、本発明の実施形態における、プリンタ本体１１１と周辺機器１１３の例を示す図である。図１（ａ）は、プリンタ本体１１１を図示したものである。プリンタ本体１１１は、印刷ジョブに含まれる描画データに基づいて、印刷用紙に画像を形成し、定着させる機能を持つ装置である。また、プリンタ本体１１１は、操作部としての機能を有するプリンタ用表示装置１１２を備えており、印刷ジョブの実行状況や、エラー内容、各種設定画面などを表示できる。
【００１５】
図１（ｂ）〜（ｈ）は、種々の機能を有する周辺機器１１３を図示したものであり、印刷装置１１０のオプションの機器である。図１（ｂ）は、印刷物を台車に排紙し、まとめて運び出すスタッカである。図１（ｃ）は、上部にセットした表紙で印刷物をくるんで製本するくるみ製本機である。図１（ｄ）は、印刷物の用紙の間に、別の用紙を挿入するインサータである。図１（ｅ）は、印刷物にステープル留めや穴あけパンチを行うフィニッシャである。図１（ｆ）は、図１（ｅ）に示したフィニッシャ機能に加え、３面をカットすることで、印刷物を所望のサイズにできる、トリマ付きフィニッシャである。図１（ｇ）は、種々の用紙サイズに対応した、大容量給紙トレイである。図１（ｈ）は、図１（ｇ）に示した大容量用紙トレイに、手差しトレイを備えた、手差しトレイ付き大容量給紙トレイである。
【００１６】
図１に示した、プリンタ本体１１１と、周辺機器１１３とを組み合わせることによって、印刷装置１１０を構成することができる。なお、印刷装置１１０は周辺機器１１３を含まなくてもよく、プリンタ本体１１１単体であっても、印刷装置１１０として構成することができる。さらに、本実施形態では、印刷装置１１０に、ＤＦＥ１２１と、ワークフローＰＣ１３１とを組み合わせることで、印刷システム１００を構成する。なお、図１に示した周辺機器１１３は、一例であって、図示したもの以外の周辺機器を含んでもよい。
【００１７】
図２は、本発明の実施形態における印刷システム１００全体のハードウェアの概略構成の例を示す図である。なお、図２（ａ）と図２（ｂ）では、印刷装置１１０の周辺機器１１３の構成が異なっている。
【００１８】
図２の印刷システム１００には、印刷装置１１０と、ＤＦＥ（Digital Front End）１２１と、ワークフローＰＣ１３１とが含まれており、それぞれの装置は、ＨＴＴＰ、ＦＴＰ、ＳＭＢ、ＮＦＳなどの各種通信プロトコルで通信できるように接続されている。また、ＤＦＥ１２１とワークフローＰＣ１３１も、プリンタ本体１１１と同様に、それぞれＤＦＥ用表示装置１２２とワークフローＰＣ用表示装置１３２を備えている。
【００１９】
印刷装置１１０は、印刷ジョブを実行する装置であり、プリンタ本体１１１によって画像を形成するとともに、周辺機器１１３によって印刷物に各種処理行う。なお、印刷装置１１０の構成は、図２（ａ）、（ｂ）に示すものに限定するものではなく、種々の周辺機器１１３を組み合わせることによって、所望の機能を有する印刷装置１１０の構成とすることができる。
【００２０】
ＤＦＥ１２１は、ワークフローＰＣ１３１から送られる印刷ジョブを展開し、描画データを作成し、プリンタ本体１１１に印刷の実行を指示する制御装置としての情報処理装置である。ワークフローＰＣ１３１は、ユーザが作成した印刷対象となるファイルに対して、面付けなどの各種編集処理を行い、印刷ジョブとしてＤＦＥ１２１に送信する、情報処理装置である。なお、ＤＦＥ１２１とワークフローＰＣ１３１として使用する情報処理装置は、専用の端末でもよいし、一般的に用いられるパソコン端末であってもよい。ＤＦＥ用表示装置１２２とワークフローＰＣ用表示装置１３２は、プリンタ用表示装置１１２と同様の表示を行うほか、ＤＦＥ１２１やワークフローＰＣ１３１の機能に応じた画面を表示することができる。
【００２１】
次に、本実施形態の印刷システム１００を構成する各装置に含まれるハードウェア構成について、図３および図４を以て説明する。図３は本実施形態のプリンタ本体１１１に含まれるハードウェア構成を示す図である。また、図４（ａ）は、周辺機器１１３に含まれるハードウェア構成を、図４（ｂ）は、ＤＦＥ１２１に含まれるハードウェア構成を、それぞれ示す図である。
【００２２】
まず、図３について説明する。プリンタ本体１１１には、操作部３１０と、ベースコントローラ３２０と、ＤＴＵ（Data Transfer Unit）３３０と、ＩＰＵ（Image Processing Unit）３４０と、Ｉ／Ｏボード３５０とを含む。
【００２３】
操作部３１０は、プリンタ本体１１１の操作を行うユーザインターフェース部であり、表示部３１１と入力部３１２とを含む。表示部３１１は、上述したプリンタ用表示装置１１２に対応し、ユーザは入力部３１２を操作することによって、プリンタ本体１１１を動作させることができる。
【００２４】
ベースコントローラ３２０は、ＤＦＥ１２１が送信するコマンドや、操作部３１０の操作によって、ＤＴＵ３３０やＩＰＵ３４０を制御するユニットであり、ＣＰＵ３２１と、ＲＡＭ３２２と、ＲＯＭ３２３と、Ｉ／Ｏユニット３２４とを含む。ＣＰＵ３２１は、プリンタ本体１１１の動作を制御するプログラムを実行する装置である。ＲＡＭ３２２は、プリンタ本体１１１が実行するプログラムの実行空間を提供するための揮発性の記憶装置であり、プログラムやデータの格納用、展開用として使用される。
【００２５】
ＲＯＭ３２３は、プリンタ本体１１１が実行するプログラムやデータ等を記憶するための不揮発性の記憶装置であり、ストレージとしての機能を有してもよい。Ｉ／Ｏユニット３２４は、ベースコントローラ３２０と他のユニットを接続するインターフェースであり、ＰＣＩｅやＧｂＥなどによって通信を行う。Ｉ／Ｏユニット３２４は、例えば、ＤＦＥ１２１と接続され、コマンドやステータスなどをやり取りする。
【００２６】
ＤＴＵ３３０は、ＤＦＥ１２１から印刷対象となる画像データを受け取り、ＩＰＵ３４０に転送する。ＩＰＵ３４０は、ＤＴＵ３３０が転送した画像データに対して、濃度調整/エッジ補正などの各種画像処理を行う。Ｉ／Ｏボード３５０は、各種制御コマンドや周辺機器側のステータス通知を他の周辺機器１１３とやり取りすることで、印刷装置１１０全体の動作を制御する。Ｉ／Ｏボード３５０は、例として、給紙トレイやフィニッシャなどと接続され、用紙の搬送や、印刷物の後処理などを制御する。
【００２７】
次に、図４（ａ）について説明する。周辺機器１１３は、ＣＰＵ４１１と、ＲＡＭ４１２と、ＲＯＭ４１３と、Ｉ／Ｏユニット４１４とを含む。なお、ＣＰＵ４１１と、ＲＡＭ４１２と、ＲＯＭ４１３は、上述したプリンタ本体１１１のものに対応する機能であることから、詳細な説明は省略する。Ｉ／Ｏユニット４１４は、他の機器と接続し、通信するインターフェースである。Ｉ／Ｏユニット４１４の接続先の例としては、プリンタ本体１１１、前工程の周辺機器、後工程の周辺機器などである。なお、周辺機器１１３は、図４（ａ）に図示した以外にも、各機器の機能に応じたハードウェアを備える。
【００２８】
次に、図４（ｂ）について説明する。ＤＦＥ１２１は、ＣＰＵ４２１と、ＨＤＤ４２２と、ＤＴＵ４２３と、ＲＡＭ４２４と、ＲＯＭ４２５と、Ｉ／Ｏユニット４２６とを含む。なお、ＣＰＵ４２１と、ＤＴＵ４２３と、ＲＡＭ４２４と、ＲＯＭ４２５は、上述したプリンタ本体１１１のものに対応する機能であることから、詳細な説明は省略する。
【００２９】
ＨＤＤ４２２は、ＤＦＥ１２１のＯＳ（Operating System）や、各種プログラム、データなどを保存するストレージである。なお、ＨＤＤ４２２に限らず、同様のストレージ機能を有する、ＳＳＤ（Solid State Drive）などで代替することもできる。Ｉ／Ｏユニット４２６は、プリンタ本体１１１やワークフローＰＣ１３１と通信するインターフェースである。Ｉ／Ｏユニット４２６では、例えば、印刷ジョブなどのコマンドや、印刷装置１１０のステータスなどを、ＰＣＩｅやＧｂＥなどによって通信する。
【００３０】
ここまで、本実施形態の印刷システム１００に含まれるハードウェアについて説明した。次に、本実施形態において実行する処理について説明する。図５は、本実施形態の印刷システム１００が実行する処理のシーケンス図である。なお、図５では、ＤＦＥ１２１、プリンタ本体１１１、周辺機器１１３について説明し、ワークフローＰＣ１３１を省略している。
【００３１】
まず、ＤＦＥ１２１は、ステップＳ１００１で電源を投入し、その後、ステップＳ１００２で装置の初期化、ステップＳ１００３で装置の自己診断、Ｓ１００４でＯＳやシステムプログラムを起動する。また、プリンタ本体１１１は、ステップＳ１００５で電源を投入し、その後、ステップＳ１００６でベースコントローラ３２０などの初期化、ステップＳ１００７で自己診断、ステップＳ１００８で画像を形成する定着部などの初期化を行う。なお、ＤＦＥ１２１の電源投入と、プリンタ本体１１１の電源投入の順序は、特に問わない。
【００３２】
プリンタ本体１１１は、ステップＳ１００８で、プリンタ初期化を行ったあと、ステップＳ１００９で、印刷装置１１０に含まれる各周辺機器１１３に対して、装置の起動を指示する。周辺機器は１１３、起動指示を受けて、ステップＳ１０１０で、装置を起動する。さらに、プリンタ本体１１１は、ステップＳ１０１１で、周辺機器１１３をチェックし、どのような機能を持った周辺機器が何台接続されているのかといった、印刷装置１１０を構成する機器の各種情報を取得する。
【００３３】
このように、機器構成をチェックすることで、機器の並びが適切であるかを判定することができ、不適切であった場合には、エラーを表示することで、ユーザに対して修正を促すことができる。また、周辺機器１１３が、自装置のイメージを表示するための画像情報、構成、ガイド、ジャム処理などの各種データをあらかじめ記憶しておいてもよく、システム立ち上げ時に印刷装置１１０がこれらのデータを吸い上げることで取得してもよい。
【００３４】
その後、プリンタ本体１１１は、ステップＳ１０１２で、各周辺機器１１３に対して、初期化を指示する。初期化の指示を受けた周辺機器１１３は、ステップＳ１０１３で、装置の初期化を行い、初期化したあと、ステップＳ１０１４で、プリンタ本体１１１に対して、周辺機器１１３が正常に起動し、レディ状態になったことを通知する。
【００３５】
プリンタ本体１１１は、周辺機器１１３からのレディの通知を受けて、ステップＳ１０１５で、ＤＦＥ１２１に対して、プリンタ本体１１１および周辺機器１１３が正常に起動し、印刷装置１１０がレディ状態になったことを通知し、ＤＦＥ１２１からの印刷ジョブを待機する。その後、ステップＳ１０１６で、ＤＦＥ１２１は、システムレディ状態となり、ワークフローＰＣ１３１からの印刷ジョブを待機する。
【００３６】
ＤＦＥ１２１は、ワークフローＰＣ１３１から印刷ジョブを受けると、ステップＳ１０１７で、プリンタ本体１１１に対して、印刷ジョブの実行を通知する。ステップＳ１０１８で、プリンタ本体１１１は、ＤＦＥ１２１からの印刷ジョブを実行するとともに、ステップＳ１０１９で、印刷ジョブに基づいて、各周辺機器１１３に対して、用紙の給紙や、フィニッシング処理などの各種コマンドを指示する。周辺機器１１３は、ステップＳ１０２０で、指示されたコマンドを実行することで、一連の画像を形成する処理を行うことができる。
【００３７】
なお、図５において省略したワークフローＰＣ１３１は、一般的なパソコン端末に、ワークフローソフトをインストールしたものであり、図５の処理に関係なく起動することが可能である。
【００３８】
以上、本実施形態の印刷システム１００が実行する処理について説明した。ところで、上述した各種処理を行う際に、ユーザに対して印刷システム１００のステータスなどを表示する場合がある。ステータスを表示する例としては、システムの状況、ジャム（用紙の詰まり）の発生、装置のエラーなどが挙げられる。このようなステータスを表示する場合には、エラーなどの発生箇所を視覚的に捉えやすくするために、印刷装置１１０のマシン構成図、ジャム処理の図、ガイド図、ガイド情報などとともに表示することが好ましい。しかしながら、プリンタ用表示装置１１２、ＤＦＥ用表示装置１２２、ワークフローＰＣ用表示装置１３２など、画素数や画面サイズの異なる表示装置では、構成図の見やすさが損なわれる場合がある。
【００３９】
ここで、本実施形態の印刷システム１００に含まれる表示装置について説明する。図６は、プリンタ本体１１１の操作部３１０の例を示す図である。操作部３１０は、表示手段としてのプリンタ用表示装置１１２を備えている。図６に例示したプリンタ用表示装置１１２は、水平画素数が８００、垂直画素数が６００であり、アスペクト比は４：３となる。
【００４０】
一方で、各表示装置は、図７に示すように、用途に応じてサイズや画素数などの仕様が異なることが一般的である。図７は、本実施形態の印刷システム１００に含まれる各表示装置の仕様の例を示す図である。図７（ａ）は、各表示装置の画素数およびアスペクト比の例を、図７（ｂ）は、各表示装置のサイズの例を、それぞれ示している。
【００４１】
例えば、１つの印刷システム１００において、プリンタ用表示装置１１２は８００×６００の画素数で８インチ、ＤＦＥ用表示装置１２２は１９２０×１０８０の画素数で２０インチ、ワークフローＰＣ用表示装置１３２は１９２０×１２００の画素数で２２インチのように、種々の仕様を有する。このように、各表示装置がそれぞれ異なる固有の仕様を有する場合には、１つのビットマップ形式の画像の表示データに基づいて表示しようとすると、見やすさが損なわれる場合がある。
【００４２】
以下では、図２（ａ）に示す構成の印刷装置１１０のマシン構成図の画像を、各表示装置上に表示する場合を例に説明する。図８は、プリンタ用表示装置１１２に表示されるマシン構成図の画像の例を示す図である。図８に例示するプリンタ用表示装置１１２には、印刷ジョブの進捗状況、ステータス、エラーメッセージなどが、印刷装置１１０のマシン構成図とともに表示される。しかしながら、従来の印刷システム１００においては、各表示装置に接続される装置のストレージに、印刷装置１１０のマシン構成図の画像の表示データが記憶されていない場合には、マシン構成図を表示することができない。
【００４３】
図９は、従来の印刷システム１００において各表示装置に画像を表示する例を示す図である。図９に示すように、従来の印刷システム１００では、プリンタ用表示装置１１２に表示されるマシン構成図の画像の表示データは、プリンタ本体１１１のストレージに記憶され、ＤＦＥ用表示装置１２２に表示されるマシン構成図の画像の表示データは、ＤＦＥ１２１のストレージに記憶されていた。各ストレージに記憶されている画像の表示データは、接続される表示装置の画素数、アスペクト比、サイズなどの仕様に合わせて作成されたビットマップ形式の画像の表示データである。したがって、プリンタ用表示装置１１２とＤＦＥ用表示装置１２２には、図９に示すように印刷装置１１０の画像を表示することができる。
【００４４】
一方で、ワークフローＰＣ用表示装置１３２では、ワークフローＰＣ１３１が印刷装置１１０のマシン構成図などの画像の表示データを有していないことから、図９に示すようにワークフローＰＣ用表示装置１３２上に図を表示することができない。これは、ワークフローＰＣが一般的なパソコン端末にワークフローソフトをインストールした構成であることに起因するものであり、ワークフローソフトの開発者は、どのような構成の印刷装置１１０に接続されるかを知りえないためである。したがって、ワークフローＰＣ用表示装置１３２は、図９のように、印刷装置１１０のステータスを表示する程度に留まることが多かった。
【００４５】
このような場合に、ワークフローＰＣ用表示装置１３２に印刷装置１１０の画像を表示させるためには、プリンタ本体１１１やＤＦＥ１２１のストレージから画像の表示データを読み出して表示する方法が挙げられる。しかしながら、上述したように各ストレージに記憶されている画像の表示データは、各表示装置の仕様に合わせて作成されたビットマップ形式のデータであるため、仕様が異なるワークフローＰＣ用表示装置１３２に表示させると、画像が不自然になり、ユーザにとって見にくい表示となる可能性がある。
【００４６】
上述したように、同一のシステム内に仕様の異なる複数の表示装置がある場合には、同じ画像の表示データに基づいて表示しても、表示装置の仕様によって、表示される画像が変わってしまうことがある。このような場合においても、各表示装置に適切に画像を表示するために、本実施形態では、以下に説明する２つの方法を採用することができる。すなわち、ベクタ形式で保存された画像の表示データを配信し、配信先ごとで各表示装置の仕様に合わせたビットマップ形式に変換する方法（第一の実施形態）と、あらかじめ配信先の表示装置の仕様を取得し、当該仕様に合わせたビットマップ形式の画像の表示データを生成および保存しておき、配信する方法（第二の実施形態）である。これら２つの実施形態について、図１０を以て説明する。
【００４７】
図１０は、本実施形態におけるプリンタ本体１１１のストレージに記憶される情報の例を示す図である。図１０（ａ）は、プリンタ本体１１１のストレージ領域が保持する情報の例を示しており、図１０（ｂ）は、第一の実施形態において保持する画像の表示データを、図１０（ｃ）は、第二の実施形態において保持する画像の表示データを、それぞれ示している。
【００４８】
図１０（ａ）に示すように、ストレージ領域には、プリンタ本体１１１の動作を制御するためのプログラム（ＰＲＯＧＲＡＭ）や、印刷装置１１０を構成するプリンタ本体１１１や周辺機器１１３の画像の表示データが記憶されている。画像の表示データは、機器ごとに個別に記憶されており、各機器を識別できる符号としての機種名（ＩＤ００１、ＩＤ００２、ＩＤ００３）が割り当てられている。
【００４９】
ストレージに記憶される画像の表示データは、マシン構成図、ジャム処理用の図、ガイド用の図、ガイド情報などを含み、実施形態に応じて、ベクタ形式またはビットマップ形式で記憶される。また、画像の表示データは、あらかじめプリンタ本体１１１のストレージに記憶されていてもよいし、電源投入時の初期化処理によって、各機器が保持する自装置の画像情報をプリンタ本体１１１が吸い上げることで、取得してもよい。さらに、印刷装置１１０の構成に合わせて、画像の表示データをユーザが追加してインストールすることもできる。上述のようにして画像の表示データを記憶することで、印刷装置１１０の構成に即した画像の表示データを配信することができ、印刷装置１１０の販売後に新たに発売された周辺機器１１３が構成に追加された場合であっても、適切に機器の画像を表示することができる。
【００５０】
次に、第一の実施形態について、図１０（ｂ）を以て説明する。図１０（ｂ）に示す図は、第一の実施形態において図１０（ａ）のストレージに記憶されている画像の表示データを例示したものであり、ＩＤ００１、ＩＤ００２、ＩＤ００３の画像の表示データが、ベクタ形式の一種である、ＳＶＧ（Scalable Vector Graphics）形式で記憶されている。なお、ＳＶＧ形式は、ＸＭＬ（eXtensible Markup Language）ベースの２次元ベクタ画像を記録するための画像ファイルフォーマットであり、本実施形態の一例を示すものである。したがって、本実施形態において記憶される表示データの形式を制限するものではない。
【００５１】
次に、第二の実施形態について、図１０（ｃ）を以て説明する。図１０（ｃ）に示す図は、第二の実施形態において図１０（ａ）のストレージに記憶されている画像の表示データを例示したものであり、ＩＤ００１、ＩＤ００２、ＩＤ００３の画像の表示データが、ビットマップ形式（ＢＭＰ００１、ＢＭＰ００２、ＢＭＰ００３）で記憶されている。ここで、図１０（ｃ）に示すＢＭＰ００１、ＢＭＰ００２、ＢＭＰ００３は、種々の表示装置の仕様に合わせたビットマップ形式の画像の表示データである。例えば、ＢＭＰ００１は、プリンタ用表示装置１１２に合わせ、８００×６００の画素数で８インチの表示装置上に表示するための画像の表示データ、ＢＭＰ００２は、ＤＦＥ用表示装置１２２に合わせ、１９２０×１０８０の画素数で２０インチの表示装置上に表示するための画像の表示データのようにして対応付けて変換し、記憶される。
【００５２】
以上、本実施形態におけるプリンタ本体１１１のストレージに記憶される情報について、図１０を以て説明した。以下では、各実施形態について、より詳細に説明する。まず、第一の実施形態について、図１１〜１３を以て説明する。
【００５３】
図１１は、第一の実施形態の印刷システム１００のソフトウェアブロック図である。プリンタ本体１１１は、表示装置情報取得部１１１１と、画像形式変換部１１１２と、周辺機器情報取得部１１１３と、表示データ生成部１１１４と、表示データ記憶部１１１５と、表示データ配信部１１１６とを含む。また、ＤＦＥ１２１は、表示装置情報取得部１１２１と、画像形式変換部１１２２とを含む。さらに、ワークフローＰＣ１３１は、表示装置情報取得部１１３１と、画像形式変換部１１３２とを含む。以下に、各機能ブロックの詳細について説明する。
【００５４】
表示装置情報取得部１１１１，１１２１，１１３１は、各表示装置の仕様や、ＭＡＣアドレス、ＩＰアドレス、端末名などの表示装置情報を取得する手段である。例えば、プリンタ本体１１１の表示装置情報取得部１１１１は、プリンタ用表示装置１１２の情報を取得し、ＤＦＥ１２１の表示装置情報取得部１１２１は、ＤＦＥ用表示装置１２２の情報を取得し、ワークフローＰＣ１３１の表示装置情報取得部１１３１は、ワークフローＰＣ用表示装置１３２の情報を取得する。ここで、取得する表示装置の仕様は、画素数、アスペクト比、サイズなどの情報である。
【００５５】
画像形式変換部１１１２，１１２２，１１３２は、プリンタ本体１１１から配信されたベクタ形式の画像の表示データをビットマップ形式に変換する手段である。画像形式変換部１１１２，１１２２，１１３２は、各表示装置情報取得部が取得した各表示装置の仕様に基づいて、各表示装置に適合したビットマップ形式の画像の表示データに変換する。
【００５６】
また、周辺機器情報取得部１１１３は、印刷装置１１０を構成する周辺機器１１３の情報を取得する手段である。周辺機器情報取得部１１１３は、例えば、図４のＳ１０１１において、印刷装置１１０にどのような機能の周辺機器１１３が含まれているのかを特定するための機種名や、各周辺機器がどのような順序で接続されているかなどの構成情報を取得する。また、周辺機器情報取得部１１１３は、周辺機器１１３が記憶している、自装置のイメージを表示するための画像情報、構成、ガイド、ジャム処理などの各種表示データを取得することもできる。このように、プリンタ本体１１１は、周辺機器１１３の情報を取得することで、自装置を含む印刷装置１１０のイメージや構成情報を得ることができ、印刷装置１１０のマシン構成図などの各種表示データを生成することができる。
【００５７】
表示データ生成部１１１４は、周辺機器情報取得部１１１３が取得した周辺機器情報や、印刷装置１１０の構成情報に基づいて、プリンタ本体１１１や各周辺機器の画像を組み合わせることで印刷装置１１０のマシン構成図などの画像の表示データを生成する手段である。表示データ生成部１１１４は、一例として、図８に示すようなマシン構成図の表示データをベクタ形式で生成する。なお、周辺機器１１３の画像は、あらかじめプリンタ本体１１１が保持していてもよいし、プリンタ本体１１１が各周辺機器から取得してもよい。
【００５８】
表示データ記憶部１１１５は、表示データ生成部１１１４が生成した、ベクタ形式の表示データを記憶する手段であり、プリンタ本体１１１のストレージ領域に対応する。
【００５９】
表示データ配信部１１１６は、表示データ記憶部１１１５に記憶されているベクタ形式の表示データを、ＤＦＥ用表示装置１２２やワークフローＰＣ用表示装置１３２などに表示するために他の装置に配信する手段である。表示データの配信には、ＨＴＴＰ、ＦＴＰ、ＳＭＢ、ＮＦＳなどの各種通信プロトコルを用いることができる。また、表示データを配信するタイミングは、印刷システム１００がレディ状態になったことを契機に配信してもよいし、印刷装置１１０のマシン構成図などの画像の表示を伴うイベントが発生したことを契機に配信してもよい。
【００６０】
上述した表示データ配信部１１１６が、ベクタ形式の表示データを配信し、各装置の画像形式変換部１１１２，１１２２，１１３２が、各表示装置に適合したビットマップ形式の画像の表示データに変換することで、表示装置の仕様に対応した、印刷装置１１０のマシン構成図を表示することができる。
【００６１】
そこで、次に、上述した各機能手段が実行する処理について説明する。図１２は、第一の実施形態において印刷システム１００が画像を表示する処理のフローチャートである。
【００６２】
まず、ステップＳ２０００から処理を開始し、ステップＳ２００１で、印刷システム１００をシステムレディ状態にする。ステップＳ２００１の処理は、図４において説明したステップＳ１００１〜Ｓ１０１６の各処理を行うことで、システムレディ状態にする。なお、表示装置情報取得部１１１１，１１２１，１１３１は、システムの立ち上げ時に各表示装置の情報を取得しておくことが好ましい。
【００６３】
次に、ステップＳ２００２では、周辺機器情報取得部１１１３が取得した周辺機器１１３の情報や、印刷装置１１０の構成情報に基づいて、表示データ生成部１１１４は、印刷装置１１０のマシン構成図などの表示データを、ベクタ形式で生成する。ステップＳ２００２で生成した表示データは、プリンタ本体１１１の表示データ記憶部１１１５に記憶する。
【００６４】
その後、ステップＳ２００３で、画像の表示を伴うイベントが発生したかを判定する。画像の表示を伴うイベントの例としては、ジャムの発生、装置のエラーなどが挙げられる。このようなイベントが発生した場合には、印刷装置１１０のマシン構成図とともにエラー内容を表示することで、ユーザはエラーの発生箇所を視覚的に捉えやすくなる。すなわち、ユーザは表示されたマシン構成図を見ることで、どこでエラーが発生したかを把握しやすくなり、適切な対処を促すことができる。
【００６５】
ステップＳ２００３において、画像の表示を伴うイベントが発生していない場合（ＮＯ）には、ステップＳ２００３に戻り、イベントの発生を待機する。また、ステップＳ２００３において、画像の表示を伴うイベントが発生した場合（ＹＥＳ）には、ステップＳ２００４に進む。
【００６６】
ステップＳ２００４では表示データ配信部１１１６は、表示データ記憶部１１１５が記憶しているベクタ形式の表示データを、各装置の画像形式変換部１１１２，１１２２，１１３２に対して配信する。なお、プリンタ本体１１１の画像形式変換部１１１２は、表示データ配信部１１１６を介さずに、表示データ記憶部１１１５から直接取得してもよい。
【００６７】
次に、ステップＳ２００５で、各装置の画像形式変換部１１１２，１１２２，１１３２は、自装置に接続される表示装置の仕様に合わせて、配信されたベクタ形式の表示データを、ビットマップ形式に変換する。その後、ステップＳ２００６で、変換したビットマップ形式の表示データを、各表示装置に表示し、ステップＳ２００３に戻り、次のイベント発生に備える。
【００６８】
以上、説明した処理によって、ベクタ形式の表示データを配信し、各表示装置に適合した画像を表示することができる。次に、上述の処理によって、各表示装置に画像を表示する例について、図１３を以て説明する。図１３は、第一の実施形態における印刷システム１００において各表示装置に画像を表示する例を示す図である。
【００６９】
図１３に示すように、プリンタ本体１１１の表示データ記憶部１１１５には、ＳＶＧ形式の表示データが記憶されている。この表示データを、ＤＦＥ１２１およびワークフローＰＣ１３１に配信し、ビットマップ形式に変換することで、各表示装置に適合した画像を表示することができる。
【００７０】
すなわち、図９では、ワークフローＰＣ１３１のストレージが表示データを保持していないために、ワークフローＰＣ用表示装置１３２には、マシン構成図が表示されなかったが、本実施形態の構成によって、表示データを保持しない装置に接続される表示装置であっても、画像を表示することができる。また、ＤＦＥ１２１およびワークフローＰＣ１３１のストレージが表示データを保持していなくても画像を表示することができるので、各ストレージの容量を節約することができる。
【００７１】
以上、説明した第一の実施形態によれば、ベクタ形式の画像の表示データを各装置に配信することができ、表示装置の仕様に合わせた画像を表示することができる。また、第一の実施形態では、表示データ記憶部１１１５には、ベクタ形式の画像の表示データのみが記憶されていればよいことから、ストレージ領域のリソースを節約することができる。
【００７２】
次に、第二の実施形態について、図１４〜１６を以て説明する。図１４は、第二の実施形態の印刷システム１００のソフトウェアブロック図である。
【００７３】
プリンタ本体１１１は、表示装置情報取得部１４１１と、画像形式変換部１４１２と、周辺機器情報取得部１４１３と、表示データ生成部１４１４と、表示データ記憶部１４１５と、表示データ配信部１４１６とを含む。以下に、各機能ブロックの詳細について説明する。
【００７４】
表示装置情報取得部１４１１は、各表示装置の仕様や、ＭＡＣアドレス、ＩＰアドレス、端末名などの表示装置情報を取得する手段であり、プリンタ用表示装置１１２の情報と、ＤＦＥ用表示装置１２２の情報と、ワークフローＰＣ用表示装置１３２の情報とを取得する。ここで、取得する表示装置の仕様は、画素数、アスペクト比、サイズなどの情報である。
【００７５】
画像形式変換部１４１２は、表示データ生成部１４１４が生成したベクタ形式の画像の表示データを各表示装置の仕様に合わせたビットマップ形式に変換する手段である。画像形式変換部１４１２が変換した表示データは、表示データ記憶部１４１５に記憶される。なお、画像形式変換部１４１２は、表示装置情報取得部１４１１が取得した各表示装置の仕様に基づいて、各表示装置に適合したビットマップ形式の画像の表示データに変換する。
【００７６】
周辺機器情報取得部１４１３は、図１１の周辺機器情報取得部１１１３と同様に、印刷装置１１０を構成する周辺機器１１３の情報を取得する手段である。周辺機器情報取得部１４１３は、例えば、図４のＳ１０１１において、印刷装置１１０にどのような機能の周辺機器１１３が含まれているのかを特定するための機種名や、各周辺機器がどのような順序で接続されているかなどの構成情報を取得する。また、周辺機器情報取得部１１１３は、周辺機器１１３が記憶している、自装置のイメージを表示するための画像情報、構成、ガイド、ジャム処理などの各種表示データを取得することもできる。このように、プリンタ本体１１１は、周辺機器１１３の情報を取得することで、自装置を含む印刷装置１１０のイメージや構成情報を得ることができ、印刷装置１１０のマシン構成図などの各種表示データを生成することができる。
【００７７】
表示データ生成部１４１４は、周辺機器情報取得部１４１３が取得した周辺機器情報や、印刷装置１１０の構成情報に基づいて、プリンタ本体１１１や各周辺機器の画像を組み合わせることで印刷装置１１０のマシン構成図などの画像の表示データを生成する手段である。表示データ生成部１４１４は、一例として、図８に示すようなマシン構成図の表示データをベクタ形式で生成する。なお、周辺機器１１３の画像は、あらかじめプリンタ本体１１１が保持していてもよいし、プリンタ本体１１１が各周辺機器から取得してもよい。
【００７８】
表示データ記憶部１４１５は、画像形式変換部１４１２が変換した、ビットマップ形式の表示データを記憶する手段であり、プリンタ本体１１１のストレージ領域に対応する。
【００７９】
表示データ配信部１４１６は、表示データ記憶部１４１５に記憶されているビットマップ形式の表示データを、ＤＦＥ用表示装置１２２やワークフローＰＣ用表示装置１３２などに表示するために他の装置に配信する手段である。表示データの配信には、ＨＴＴＰ、ＦＴＰ、ＳＭＢ、ＮＦＳなどの各種通信プロトコルを用いることができる。また、表示データを配信するタイミングは、印刷システム１００がレディ状態になったことを契機に配信してもよいし、印刷装置１１０の画像の表示を伴うイベントが発生したことを契機に配信してもよい。
【００８０】
上述した表示データ配信部１４１６が、ビットマップ形式の表示データを配信することで、各表示装置の仕様に適合した、印刷装置１１０のマシン構成図を表示することができる。
【００８１】
そこで、次に、上述した各機能手段が実行する処理について説明する。図１５は、第二の実施形態において印刷システム１００が画像を表示する処理のフローチャートである。
【００８２】
まず、ステップＳ３０００から処理を開始し、ステップＳ３００１で、印刷システム１００をシステムレディ状態にする。ステップＳ３００１の処理は、図４において説明したステップＳ１００１〜Ｓ１０１６の各処理を行うことで、システムレディ状態にする。
【００８３】
次に、ステップＳ３００２で、表示装置情報取得部１４１１は、各表示装置の情報を取得する。次に、ステップＳ３００３では、周辺機器情報取得部１１１３が取得した周辺機器１１３の情報や、印刷装置１１０の構成情報に基づいて、表示データ生成部１１１４は、印刷装置１１０のマシン構成図などの表示データを、ベクタ形式で生成する。
【００８４】
その後、ステップＳ３００４で、画像形式変換部１４１２は、表示データ生成部１４１４が生成した表示データを、ビットマップ形式に変換する。ステップＳ３００４における画像形式の変換は、ステップＳ３００２で取得した、各表示装置の情報に基づいて変換し、変換されたビットマップ形式の表示データは、プリンタ本体１１１の表示データ記憶部１４１５に記憶する。
【００８５】
その後、ステップＳ３００５では、画像の表示を伴うイベントが発生したかを判定する。画像の表示を伴うイベントの例としては、ジャムの発生、装置のエラーなどが挙げられる。このようなイベントが発生した場合には、印刷システム１００の構成図とともにエラー内容を表示することで、ユーザはエラーの発生箇所を視覚的に捉えやすくなる。すなわち、ユーザは表示された構成図を見ることで、どこでエラーが発生したかを把握しやすくなり、適切な対処を促すことができる。
【００８６】
ステップＳ３００５において、画像の表示を伴うイベントが発生していない場合（ＮＯ）には、ステップＳ３００５に戻り、イベントの発生を待機する。また、ステップＳ３００５において、画像の表示を伴うイベントが発生した場合（ＹＥＳ）には、ステップＳ３００６に進む。
【００８７】
ステップＳ３００６では表示データ配信部１４１６は、表示データ記憶部１４１５が記憶しているビットマップ形式の表示データを、各装置に対して配信する。ビットマップ形式の表示データは、ステップＳ３００２において取得された表示装置の情報に基づいて、表示装置ごとに配信される。プリンタ本体１１１は、システムの立ち上げ時に各表示装置の仕様を取得することで、どの装置にどの表示データを配信するかを選択することができ、各装置に接続される表示装置の仕様に適合させるように配信することができる。例えば、図４のステップＳ１０１６のシステムレディとなるタイミングで、各装置に接続されている表示装置の仕様を取得しておくことで、どの装置にどのビットマップデータを配信するかを判定することができる。
【００８８】
次に、ステップＳ３００７で、各装置は、配信されたビットマップ形式の表示データを自装置に接続される各表示装置に表示し、ステップＳ３００５に戻り、次のイベント発生に備える。
【００８９】
以上、説明した処理によって、ビットマップ形式の表示データを表示装置ごとに配信することで、各表示装置に合わせた画像を表示することができる。次に、上述の処理によって、各表示装置に画像を表示する例について、図１６を以て説明する。図１６は、第二の実施形態における印刷システム１００において各表示装置に画像を表示する例を示す図である。
【００９０】
図１６に示すように、プリンタ本体１１１の表示データ記憶部１４１５には、ビットマップ形式の表示データが記憶されている。この表示データは、プリンタ用表示装置１１２、ＤＦＥ用表示装置１２２、ワークフローＰＣ用表示装置１３２の仕様に合わせてそれぞれ変換されたものである。これらのビットマップ形式の表示データを各表示装置に配信することで、表示データを保持していない装置に接続される表示装置にも、画像を表示することができる。
【００９１】
すなわち、図９では、ワークフローＰＣ１３１のストレージが表示データを保持していないために、ワークフローＰＣ用表示装置１３２には、マシン構成図が表示されなかったが、本実施形態の構成によって、画像を表示することができる。また、ＤＦＥ１２１およびワークフローＰＣ１３１のストレージが表示データを保持していなくても画像を表示することができるので、各ストレージの容量を節約することができる。
【００９２】
以上、説明した第二の実施形態によれば、表示装置の仕様に合わせたビットマップ形式の画像の表示データを各装置に配信することができ、各表示装置に適切な画像を表示することができる。また、第二の実施形態では、ビットマップ形式の画像の表示データを配信することから、各装置において変換する処理を行うことなく、画像を表示できる。
【００９３】
なお、上述した各実施形態において、各機器の画像情報は、あらかじめ表示データ記憶部１１１５，１４１５に記憶されていてもよいし、印刷システム１００に含まれる各周辺機器１１３が保持していて、システムの立ち上げ時に各周辺機器１１３から取得して、表示データ記憶部１１１５，１４１５に記憶してもよい。
【００９４】
また、上述した各実施形態において、プリンタ本体１１１は、システムの立ち上げ時に印刷装置１１０の構成情報を取得することで、印刷装置１１０の構成に即した画像の表示データを配信することができる。特に、周辺機器１１３が、自装置のイメージを表示するための画像情報をあらかじめ記憶しておくことで、例えば、印刷装置１１０の販売後に新たに発売された周辺機器１１３が構成に追加された場合であっても、適切に機器の画像を表示することができる。
【００９５】
上述のようにして、プリンタ本体１１１の表示データ記憶部１１１５，１４１５に記憶されている画像の表示データを、ＤＦＥ１２１やワークフローＰＣ１３１に配信することで、表示装置の仕様に依らず、ユーザにとって見やすい画面を提供することができる。さらに、本実施形態においては、印刷装置１１０に含まれるプリンタ本体１１１に表示データを保持させることから、印刷装置１１０の構成情報を得ることが容易であるという利点がある。
【００９６】
なお、上述した各実施形態では、画像の表示を伴うイベントの発生を契機に表示データを配信する場合を例に説明したが、このような態様に限定するものではない。例えば、システムの立ち上げ時に、あらかじめ各装置に表示データを配信しておいてもよく、この場合には、イベントが発生したことを通知することで、各装置が画像の表示を行うことができる。
【００９７】
また、上述した実施形態では、各表示装置の仕様に合わせて画像を変換する場合に、画素数、アスペクト比、画面サイズに基づいて変換する例を説明したが、各表示装置の画面の向き（縦横の回転）や、表示色の色深度などに基づいて変換してもよい。
【００９８】
以上、説明した本発明の実施形態によれば、仕様が異なる複数の画面を備えていても、画面の仕様に依らずに、共通する画像を見やすく表示できる印刷システム、制御装置およびプログラムを提供することができる。
【００９９】
なお、図１１および図１４示したソフトウェアブロックは、各装置に含まれるＣＰＵが本実施形態のプログラムを実行することにより、各ハードウェアを機能させることにより、実現される機能手段に相当する。また、各実施形態に示した機能手段は、全部がソフトウェア的に実現されても良いし、その一部または全部を同等の機能を提供するハードウェアとして実装することもできる。
【０１００】
上述した本発明の実施形態の各機能は、Ｃ、Ｃ＋＋、Ｃ＃、Ｊａｖａ（登録商標）等で記述された装置実行可能なプログラムにより実現でき、本実施形態のプログラムは、ハードディスク装置、ＳＳＤ、ＣＤ−ＲＯＭ、ＭＯ、ＤＶＤ、フレキシブルディスク、ＥＥＰＲＯＭ、ＥＰＲＯＭ、ＮＯＲ−ＦＬＡＳＨメモリ、ＮＡＮＤ−ＦＬＡＳＨメモリ等の装置可読な記録媒体に格納して頒布することができ、また他装置が可能な形式でネットワークを介して伝送することができる。
【０１０１】
以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。
【符号の説明】
【０１０２】
１００…印刷システム、１１０…印刷装置、１１１…プリンタ本体、１１２…プリンタ用表示装置、１１３…周辺機器、１２１…ＤＦＥ、１２２…ＤＦＥ用表示装置、１３１…ワークフローＰＣ、１３２…ワークフローＰＣ用表示装置、３１０…操作部、３１１…表示部、３１２…入力部、３２０…ベースコントローラ、３２１，４１１，４２１…ＣＰＵ、３２２，４１２，４２４…ＲＡＭ、３２３，４１３，４２５…ＲＯＭ、３２４，４１４，４２６…Ｉ／Ｏユニット、３３０，４２３…ＤＴＵ、３４０…ＩＰＵ、３５０…Ｉ／Ｏボード、４２２…ＨＤＤ、１１１１，１１２１，１１３１，１４２１…表示装置情報取得部、１１１２，１１２２，１１３２，１４２２…画像形式変換部、１１１３，１４１３…周辺機器情報取得部、１１１４，１４１４…表示データ生成部、１１１５，１４１５…表示データ記憶部、１１１６，１４１６…表示データ配信部
【先行技術文献】
【特許文献】
【０１０３】
【特許文献１】特開２００２−１６７４９号公報
【図１】
2018094794.tif 000003
【図２】
2018094794.tif 000004
【図３】
2018094794.tif 000005
【図４】
2018094794.tif 000006
【図５】
2018094794.tif 000007
【図６】
2018094794.tif 000008
【図７】
2018094794.tif 000009
【図８】
2018094794.tif 000010
【図９】
2018094794.tif 000011
【図１０】
2018094794.tif 000012
【図１１】
2018094794.tif 000013
【図１２】
2018094794.tif 000014
【図１３】
2018094794.tif 000015
【図１４】
2018094794.tif 000016
【図１５】
2018094794.tif 000017
【図１６】
2018094794.tif 000018